(57)【要約】【課題】煩雑な作業を必要とせずに音楽付きスライドショーを作成する。【解決手段】音楽の再生に必要な音楽データとその関連データとを含む音楽情報と、画像の表示に必要な画像データとその関連データとを含む画像情報とを記憶し、音楽データに基づいて音楽の再生を行い、画像データに基づいて画像の表示を行う音楽画像再生装置において、音楽の関連データと画像の関連データとに基づいて、音楽情報と画像情報とを対応付ける。そして音楽データに基づいて音楽の再生を行う際に、その音楽データを含む音楽情報に対応付けられた画像情報に含まれる画像データに基づいて、画像表示を行う。【選択図】図２
2007174503.tif 000002
【特許請求の範囲】
【請求項１】
音楽の再生に必要な音楽データと該音楽の関連データとを含む音楽情報を記憶する音楽情報記憶手段と、画像の表示に必要な画像データと該画像の関連データとを含む画像情報を記憶する画像情報記憶手段と、前記音楽データに基づいて音楽の再生を行う音楽再生手段と、前記画像データに基づいて画像の表示を行う画像表示手段とを備えた音楽画像再生装置において、
前記音楽の関連データと前記画像の関連データとに基づいて、前記音楽情報と前記画像情報とを対応付ける音楽画像情報管理手段を更に備え、
前記音楽再生手段が前記音楽データに基づいて音楽の再生を行う際に、前記音楽画像情報管理手段によって該音楽データを含む前記音楽情報に対応付けられた前記画像情報に含まれる画像データに基づいて、前記画像表示手段が画像表示を行うことを特徴とする音楽画像再生装置。
【請求項２】
前記音楽の関連データが、該音楽の発売年を示すものであり、
前記画像の関連データが、該画像が撮影された撮影年を示すものであり、
前記音楽画像情報管理手段が、前記音楽の関連データが示す該音楽の発売年と同じ撮影年を示す前記画像の関連データを含む画像情報を抽出する画像情報抽出手段を有し、該音楽の関連データを含む音楽情報と該抽出された画像情報とを対応付けることを特徴とする請求項１に記載の音楽画像再生装置。
【請求項３】
前記音楽の関連データが、該音楽の曲名及び／又は歌詞を示すものであり、
前記画像の関連データが、該画像が撮影された撮影季節を示すものであり、
季節毎に各季節に関連するキーワードを記憶する季節キーワード記憶手段を更に備え、
前記音楽画像情報管理手段が、前記音楽の曲名及び／又は歌詞に含まれる前記キーワードを検出する季節キーワード検出手段と、該検出されたキーワードが最も多かった季節を決定する季節決定手段と、該決定された季節を示す前記画像の関連データを含む画像情報を抽出する画像情報抽出手段とを有し、該音楽の曲名及び／又は歌詞を含む音楽情報と該抽出された画像情報とを対応付けることを特徴とする請求項１に記載の音楽画像再生装置。
【請求項４】
前記音楽の関連データが、該音楽の曲名及び／又は歌詞を示すものであり、
前記画像の関連データが、該画像が撮影された撮影時間帯を示すものであり、
時間帯毎に各時間帯に関連するキーワードを記憶する時間帯キーワード記憶手段を更に備え、
前記音楽画像情報管理手段が、前記音楽の曲名及び／又は歌詞に含まれる前記キーワードを検出する時間帯キーワード検出手段と、該検出されたキーワードが最も多かった時間帯を決定する時間帯決定手段と、該決定された時間帯を示す前記関連データを含む画像情報を抽出する画像情報抽出手段とを有し、該音楽の曲名及び／又は歌詞を含む音楽情報と該抽出された画像情報とを対応付けることを特徴とする請求項１に記載の音楽画像再生装置。
【請求項５】
前記音楽の関連データが、該音楽の曲名及び／又は歌詞を示すものであり、
前記画像の関連データが、該画像が撮影された場所を示すものであり、
前記音楽画像情報管理手段が、前記音楽の曲名及び／又は歌詞に含まれる場所に関するキーワードを検出する場所キーワード検出手段と、該検出された場所と同じ撮影場所を示す前記関連データを含む画像情報を抽出する画像情報抽出手段とを有し、該音楽の曲名及び／又は歌詞を含む音楽情報と該抽出された画像情報とを対応付けることを特徴とする請求項１に記載の音楽画像再生装置。
【請求項６】
被写体を撮像し、該被写体像に応じた画像データを取得する撮像部を更に備えることを特徴とする請求項１〜５に記載の音楽画像再生装置。
【請求項７】
音楽の再生に必要な音楽データを含む音楽情報を記憶する音楽情報記憶手段と、画像の表示に必要な画像データを含む画像情報を記憶する画像情報記憶手段と、前記音楽データに基づいて音楽の再生を行う音楽再生手段と、前記画像データに基づいて画像の表示を行う画像表示手段とを備えた音楽画像再生装置にて用いられる音楽画像情報管理方法において、
前記音楽情報が前記音楽の関連データを含み、
前記画像情報が前記画像の関連データを含み、
前記音楽の関連データと前記画像の関連データとに基づいて、前記音楽情報と前記画像情報とを対応付けることを特徴とする音楽画像情報管理方法。
【発明の詳細な説明】
【技術分野】
【０００１】
本発明は、画像の表示、音楽の再生が可能な音楽画像再生装置及び音楽画像情報管理方法において、画像情報と音楽情報とを関連付けて記憶する音楽画像再生装置及び音楽画像情報管理方法に関するものである。
【背景技術】
【０００２】
近年の記憶媒体の大容量化に伴い、複数の音楽データや画像データを１つの記憶媒体に記憶可能となった。このような記憶媒体に記憶された音楽データと画像データに基づいた音楽再生と画像表示が可能な携帯電話や電子手帳等の電子機器が普及している。
【０００３】
また、特許文献１には、好みの音楽に画像を対応させ、その音楽を再生するときに対応させた画像が表示されるような音楽付きスライドショーを作成することができる映像記録／再生装置について記載されている。
【特許文献１】特開平０４−２１５２８１号公報
【発明の開示】
【発明が解決しようとする課題】
【０００４】
しかしながら、特許文献１に記載された発明の場合、好みの音楽に画像を対応させるために煩雑な作業が必要であり、音楽付きスライドショーを作成するために手間がかかっていた。
【０００５】
本発明は、上記事情に鑑みてなされたものであり、煩雑な作業を必要とせずに音楽付きスライドショーを作成可能な音楽画像表示装置及び音楽画像情報管理方法を提供することを目的としている。
【課題を解決するための手段】
【０００６】
以上の課題を解決するために、本発明における音楽画像再生装置は、音楽の再生に必要な音楽データと該音楽の関連データとを含む音楽情報を記憶する音楽情報記憶手段と、画像の表示に必要な画像データと該画像の関連データとを含む画像情報を記憶する画像情報記憶手段と、前記音楽データに基づいて音楽の再生を行う音楽再生手段と、前記画像データに基づいて画像の表示を行う画像表示手段とを備えた音楽画像再生装置において、前記音楽の関連データと前記画像の関連データとに基づいて、前記音楽情報と前記画像情報とを対応付ける音楽画像情報管理手段を更に備え、前記音楽再生手段が前記音楽データに基づいて音楽の再生を行う際に、前記音楽画像情報管理手段によって該音楽データを含む前記音楽情報に対応付けられた前記画像情報に含まれる画像データに基づいて、前記画像表示手段が画像表示を行うことを特徴とする。
【０００７】
また、前記音楽の関連データが、該音楽の発売年を示すものであり、前記画像の関連データが、該画像が撮影された撮影年を示すものであり、前記音楽画像情報管理手段が、前記音楽の関連データが示す該音楽の発売年と同じ撮影年を示す前記画像の関連データを含む画像情報を抽出する画像情報抽出手段を有し、該音楽の関連データを含む音楽情報と該抽出された画像情報とを対応付けることとしてもよい。
【０００８】
ここで「発売年」とは、音楽が記憶媒体（ＣＤやレコード等）や通信ネットワークを介して公衆に頒布されたの年を言う。
【０００９】
また、前記音楽の関連データが、該音楽の曲名及び／又は歌詞を示すものであり、前記画像の関連データが、該画像が撮影された撮影季節を示すものであり、季節毎に各季節に関連するキーワードを記憶する季節キーワード記憶手段を更に備え、前記音楽画像情報管理手段が、前記音楽の曲名及び／又は歌詞に含まれる前記キーワードを検出する季節キーワード検出手段と、該検出されたキーワードが最も多かった季節を決定する季節決定手段と、該決定された季節を示す前記画像の関連データを含む画像情報を抽出する画像情報抽出手段とを有し、該音楽の曲名及び／又は歌詞を含む音楽情報と該抽出された画像情報とを対応付けることとしてもよい。
【００１０】
ここで「撮影季節」とは、画像が撮影された季節を言う。また、撮影季節を示す関連データとして、撮影季節を直接的に示すものであってもよいし、撮影年月日のように間接的に撮影季節を示すものであってもよい。
【００１１】
また、前記音楽の関連データが、該音楽の曲名及び／又は歌詞を示すものであり、前記画像の関連データが、該画像が撮影された撮影時間帯を示すものであり、時間帯毎に各時間帯に関連するキーワードを記憶する時間帯キーワード記憶手段を更に備え、前記音楽画像情報管理手段が、前記音楽の曲名及び／又は歌詞に含まれる前記キーワードを検出する時間帯キーワード検出手段と、該検出されたキーワードが最も多かった時間帯を決定する時間帯決定手段と、該決定された時間帯を示す前記関連データを含む画像情報を抽出する画像情報抽出手段とを有し、該音楽の曲名及び／又は歌詞を含む音楽情報と該抽出された画像情報とを対応付けることとしてもよい。
【００１２】
ここで「撮影時間帯」とは、画像が撮影された撮影時間帯を言う。また、撮影時間帯を示す関連データとして、撮影時間帯を直接的に示すものであってもよいし、撮影時間のように間接的に撮影時間帯を示すものであってもよい。
【００１３】
また、前記音楽の関連データが、該音楽の曲名及び／又は歌詞を示すものであり、前記画像の関連データが、該画像が撮影された場所を示すものであり、前記音楽画像情報管理手段が、前記音楽の曲名及び／又は歌詞に含まれる場所に関するキーワードを検出する場所キーワード検出手段と、該検出された場所と同じ撮影場所を示す前記関連データを含む画像情報を抽出する画像情報抽出手段とを有し、該音楽の曲名及び／又は歌詞を含む音楽情報と該抽出された画像情報とを対応付けることとしてもよい。
【００１４】
また、被写体を撮像し、該被写体に応じた画像データを取得する撮像部を更に備えることとしてもよい。
【００１５】
本発明の音楽画像情報管理方法は、音楽の再生に必要な音楽データを含む音楽情報を記憶する音楽情報記憶手段と、画像の表示に必要な画像データを含む画像情報を記憶する画像情報記憶手段と、前記音楽データに基づいて音楽の再生を行う音楽再生手段と、前記画像データに基づいて画像の表示を行う画像表示手段とを備えた音楽画像再生装置にて用いられる音楽画像情報管理方法において、前記音楽情報が前記音楽の関連データを含み、前記画像情報が前記画像の関連データを含み、前記音楽の関連データと前記画像の関連データとに基づいて、前記音楽情報と前記画像情報とを対応付けることとしてもよい。
【発明の効果】
【００１６】
音楽情報に含まれる音楽の関連データと画像情報に含まれる画像の関連データに基づいて音楽情報と画像情報とを対応付け、音楽情報に含まれる音楽データに基づいて音楽再生をする際に、対応付けられた画像情報に含まれる画像データを用いて画像の表示を行うことにより、ユーザは煩雑な作業をすることなく、簡単に音楽付きスライドショーを楽しむことができる。
【発明を実施するための最良の形態】
【００１７】
以下、図面を参照して実施の形態について説明する。尚、以下の実施の形態では、本発明の音楽画像再生装置をカメラ付き携帯電話に適用した場合について説明するが、カメラ付き携帯電話以外に、デジタルカメラ、デジタルビデオカメラ、カメラ付きＰＤＡ（Personal Digital Assistance）、カメラ付きゲーム端末等のカメラ機能を備えた電子機器全般に適用可能である。尚、カメラ機能を備えないパソコン等の電子機器であっても、音楽再生、画像表示が可能な電子機器であれば、適用可能である。
【００１８】
〔第１の実施の形態〕
図１は、第１の実施の形態におけるカメラ付き携帯電話（以下、単に「携帯電話」と表記する）１００の斜視図である。尚、本実施の形態では、折り畳み式携帯電話を例示して説明するが、携帯電話は折り畳み式でなくても構わない。
【００１９】
携帯電話１００は、操作部３と、表示部４と、記憶媒体読取部７と、スピーカ６と、撮像レンズ２１とを備えて構成される。操作部３は、電話番号や撮影操作等の各種操作を入力するためのものであり、複数の操作ボタン等によって構成される。表示部４は撮影された画像や各種操作画面を表示するためのものであり、ＬＣＤ（Liquid Crystal Display）やＥＬＤ（Electronic Luminescent Display）等によって構成される。
【００２０】
記憶媒体読取部７は、メモリカード等の記憶媒体１１が充填される充填口であり、記憶媒体１１が充填されると、記憶媒体１１に対してデータの読み取り／書き込みが行われる。スピーカ６は、音楽再生時に音楽が音声出力される手段である。撮像レンズ２１は、被写体を撮影するための光学レンズであり、撮像レンズ２１を介して得られた被写体像が画像データに変換されて、表示部４に表示される。
【００２１】
図２は、携帯電話１００の内部構成を示すブロック図である。携帯電話１００は、制御部１と、撮像部２と、操作部３と、表示部４と、音楽再生制御部５と、スピーカ６と、記憶媒体読取部７と、記憶部８とを備えて構成される。
【００２２】
制御部１は、入力される指示信号に応じて所定のプログラムに基づいた処理を実行する等して、携帯電話１００を統括的に制御するものである。具体的には、制御部１は操作部３の操作によって入力される指示信号に応じて記憶部８から読み出したプログラムに基づいて処理を実行する。そして、処理結果を表示するための表示信号を表示部４に出力し、対応する画像を表示させる。
【００２３】
撮像部２は、撮影に用いられるレンズ及びレンズ駆動部、ＣＣＤ及びＣＣＤ駆動部、Ａ／Ｄ変換器等を備えて構成されており、制御部１から出力される制御信号に従って撮像処理を行う。また、撮像部２は図１に示す撮像レンズ２１を含む。
【００２４】
操作部３は、数字・かな／英入力ボタン及び各種機能ボタン等を備えた操作ボタンによって構成され、押下操作された操作ボタンの押下信号を制御部１へ出力する。
【００２５】
表示部４は、ＬＣＤ、ＥＬＤ等によって構成され、制御部１から出力される表示信号の指示に従って各種表示データの画面表示を行う。
【００２６】
音楽再生制御部５は、記憶部８に記憶された音楽情報のうち、制御部１が読み出した音楽情報に含まれる音楽データを音声信号に変換する制御を行う。変換された音声信号はスピーカ６に出力され、音声として出力される。
【００２７】
記憶媒体読取部７は、メモリカード等の記憶媒体１１に対してデータの読み取り／書き込みを行う。
【００２８】
記憶部８は、プログラムやデータ等が予め記録されている記録媒体であり、磁気的又は光学的記録媒体、半導体メモリ等によって構成されている。記憶部８には、携帯電話１００を作動させるためのシステムプログラム（不図示）の他に、音楽情報記憶領域８１に記憶される音楽情報と、画像情報記憶領域８２に記憶される画像情報とを対応付けて記憶させるための音楽画像情報管理プログラム８３と、音楽情報に含まれる音楽データに基づいた音楽再生と、該音楽情報に対応付けて記憶された画像情報に含まれる画像データに基づいた画像表示とを行う音楽画像再生プログラム８４と、音楽情報と画像情報が対応付けて記憶されている情報管理テーブル８５とが記憶されている。
【００２９】
図３は、音楽情報記憶領域８１に記憶される音楽情報８１０（図３（ａ））と、画像情報記憶領域８２に記憶される画像情報８２０（図３（ｂ））のデータ構成を示した図である。音楽情報記憶領域８１には、少なくとも、ファイル名８１１と、曲名８１２と、発売年８１３と、音楽データ８１４とを記憶する音楽情報８１０が、ファイル名毎に記憶されている。ファイル名８１１は音楽情報８１０を識別するための固有のファイル名である。曲名８１２は、音楽データ８１４の示す音楽の曲名であり、発売年８１３は音楽データ８１４の示す音楽がＣＤやレコード等で発売された年を示すものである。音楽データ８１４は、音楽再生制御部５とスピーカ６によって再生可能な音楽データである。音楽データ８１４は、音楽についての各種データ形式の何れの形態であってもよく、例えばＭＰ３（MPEG Audio Layer-3）形式や、ＡＣＣ（Advanced Audio Coding）形式等が挙げられる。
【００３０】
音楽情報８１０は、例えば、インターネット等を利用した音楽配信サイト等から図示しない通信手段を介して音楽情報をダウンロードし、音楽情報記憶領域８１に記憶される。他には、記憶媒体１１に記憶された音楽情報が制御部１によって記憶媒体読取部７を介して読み出され、音楽情報記憶領域８１に記憶されてもよい。
【００３１】
画像情報記憶領域８２には、少なくとも、ファイル名８２１と、撮影年８２２と、画像データ８２３とを記憶する画像情報８２０が、ファイル名毎に記憶されている。ファイル名８２１は画像情報８２０を識別するための固有のファイル名である。撮影年８２２は、画像データ８２３が取得（撮影）された年を示すものである。尚、図３（ｂ）において、撮影年８２２は「２００５年」と西暦年として示しているが、「平成１７年」と元号を用いて示してもよい。また、撮影年８２２は、少なくとも撮影された年を示すものであればよく、撮影年月日等であってもよい。画像データ８２３は、撮像部２によって撮像された被写体像が画像データに変換されたものであり、表示部４によって画像として表示可能なものである。また、画像データ８２３は、画像についての各種データ形式の何れの形態であってもよく、例えばＪＰＥＧ（Joint Photographic Expert Group）形式やＰＮＧ（Portable Network Graphics）形式等が挙げられる。
【００３２】
また、画像情報８２０は撮像部２によって取得された画像データに基づいて作成されたものであってもよいし、カメラ機能を備えた他の電子機器によって撮影されて記憶媒体１１に記憶された画像情報が、記憶媒体読取部７を介して制御部１によって読み出され、画像情報記憶領域８２に記憶されてもよい。
【００３３】
図４は、情報管理テーブル８５のデータ構成を示した図である。情報管理テーブル８５には音楽情報記憶領域８１に記憶されている音楽情報８１０のファイル名毎に、画像情報８２０のファイル名が対応付けて記憶されている。音楽情報８１０と画像情報の対応付けは、制御部１が音楽画像情報管理プログラム８３に従って動作することによって行われる。
【００３４】
次に、音楽画像情報管理処理の流れについて、図５のフローチャートを用いて説明する。音楽画像情報管理処理は制御部１が音楽画像情報管理プログラム８３に従って動作することにより行われる。まず、音楽情報記憶領域８１に音楽情報８１０が記憶されている場合（ステップＳ１１；ＹＥＳ）、制御部１は音楽情報８１０と情報管理テーブル８５に記憶されている音楽情報のファイル名を読み出して、画像情報８２０の対応付けが行われていない音楽情報８１０があるか否かを判別する（ステップＳ１２）。対応付けが行われていない音楽情報８１０がある場合（ステップＳ１２；ＹＥＳ）、制御部１は対応付けが行われていない音楽情報８１０の発売年８１３を読み出す（ステップＳ１３）。そして、読み出した発売年８１３と同じ撮影年を示す画像情報８２０を画像情報記憶領域８２から抽出し、抽出した画像情報８２０のファイル名を音楽情報８１０のファイル名と対応付けて情報管理テーブル８５に記憶し（ステップＳ１４）、その後処理をステップＳ１２へ移行する。
【００３５】
このようにして音楽情報８１０と画像情報８２０とが対応付けて記憶された後、制御部１によって音楽画像再生プログラム８４の実行がなされると、音楽再生と画像表示とを同時に行わせることができる。
【００３６】
図６は、音楽画像再生処理の流れを示すフローチャートである。音楽画像再生処理は制御部１が音楽画像再生プログラム８４に従って動作することにより行われる。まず、音楽情報記憶領域８１に記憶された音楽情報８１０のうち、再生する音楽の選択が操作部３を用いてユーザによってなされら（ステップＳ２１；ＹＥＳ）、制御部１は選択された音楽の音楽情報８１０に含まれる音楽データ８１４を読み出して音楽再生制御部５に出力する。音楽再生制御部５は音楽データ８１４に基づいて音声信号を生成し、スピーカ６に出力する。これにより、音楽の再生が行われる（ステップ２２）。そして、制御部１は選択された音楽の音楽情報８１０に対応付けて記憶されている画像情報８２０のファイル名を情報管理テーブル８５から読み出し、読み出したファイル名に基づいて画像データ８２３を読み出して表示部４へ出力する。表示部４は画像データに基づいて画像を表示する（ステップＳ２３）。音楽の再生が終了していなければ、ステップ２３の処理を繰り返す。
【００３７】
尚、ステップＳ２３における画像表示時間は予め決められた秒数（例えば５秒）であってもよい。この場合、対応付けて記憶されている全ての画像情報８２０の示す画像が表示されたら、繰り返し対応付けて記憶されている画像情報８２０の示す画像の表示を行うようにしてもよい。また、対応付けて記憶されている画像情報８２０の数で音楽再生時間を割った時間を１つの画像の表示時間とし、１つの画像の表示時間が終了すると、別の画像情報８２０の示す画像の表示に切り替えるようにしてもよい。
【００３８】
このように、音楽情報８１０に含まれる発売年８１３と同じ撮影年８２２を示す画像情報８２０を抽出し、音楽情報８１０と抽出された画像情報８２０とを対応付けて記憶することにより、音楽情報８１０に含まれる音楽データ８１４に従って音楽を再生する際に、対応付けられた画像情報８２０に含まれる画像データ８２３を用いて画像の表示を行うことができる。即ち、ユーザは煩雑な作業をすることなく、簡単に音楽付きスライドショーを楽しむことができる。
【００３９】
尚、本実施の形態では、制御部１が音楽画像情報管理プログラム８３を実行することによって、情報管理テーブル８５にて音楽情報８１０と画像情報８２０とが対応付けて記憶され、音楽画像再生プログラム８４が実行されることによって、情報管理テーブル８５の記憶内容が読み出され、再生音楽の音楽情報８１０に対応付けて記憶された画像情報８２０に含まれる画像データに基づいて画像表示を行うこととしたが、情報管理テーブル８５を用いずに、音楽情報８１０の示す音楽の再生を行いながら対応する画像情報８２０を抽出し、抽出された画像情報８２０に含まれる画像データ８２３に基づいて画像表示を行うようにしてもよい。具体的には、ユーザによって再生する音楽の選択が行われ、再生実行が指示されると、制御部１は該当する音楽情報８１０を音楽再生制御部５に出力して音楽の再生をさせると共に、音楽情報８１０に含まれる発売年８１３と同じ撮影年８２２である画像情報８２０を画像情報記憶領域８２から読み出して、読み出した画像情報８２０に含まれる画像データ８２３を表示部４に出力して順次画像を表示させる。
【００４０】
〔第２の実施の形態〕
第１の実施の形態では、音楽情報８１０に含まれる発売年８１３に基づいて画像情報８２０を抽出し、音楽情報８１０と抽出された画像情報８２０とを対応付けて記憶する場合について説明した。第２の実施の形態では、音楽情報の曲名及び／又は歌詞から音楽情報の示す音楽の表す季節を決定して該季節に基づいて画像情報を抽出し、音楽情報と画像情報とを対応付けて記憶する音楽画像再生装置について説明する。尚、以下において、上述した第１の実施の形態と同一要素については同符号を付し、その説明を省略または簡略する。
【００４１】
図７は、第２の実施の形態における記憶部８ａについて示した図である。第２の実施の形態における携帯電話１００の機能ブロック図は、図２に示す機能ブロック図のうち、記憶部８を記憶部８ａに置き換えたものとなる。
【００４２】
記憶部８ａには、携帯電話１００を作動させるためのシステムプログラム（不図示）の他に、音楽情報記憶領域８１に記憶される音楽情報と、画像情報記憶領域８２に記憶される画像情報とを対応付けて記憶させるための音楽画像情報管理プログラム８３ａと、音楽情報に含まれる音楽データに基づいた音楽再生と、該音楽情報に対応付けて記憶された画像情報に含まれる画像データに基づいた画像表示とを行う音楽画像再生プログラム８４と、音楽情報と画像情報が対応付けて記憶されている情報管理テーブル８５と、キーワードテーブル８６とが記憶されている。
【００４３】
図８は、音楽情報記憶領域８１に記憶される音楽情報８１０ａ（図８（ａ））と、画像情報記憶領域８２に記憶される画像情報８２０ａ（図８（ｂ））のデータ構成を示した図である。音楽情報記憶領域８１には、少なくとも、ファイル名８１１と、曲名８１２と、音楽データ８１４と、歌詞データ８１５とを記憶する音楽情報８１０ａが、ファイル名毎に記憶されている。歌詞データ８１５は音楽の歌詞を示すデータである。歌詞データ８１５は少なくとも文字のみで表されるデータであればよく、この場合のデータ形式はテキスト形式等が挙げられる。
【００４４】
画像情報記憶領域８２には、少なくとも、ファイル名８２１と、撮影季節８２２ａと、画像データ８２３とを記憶する画像情報８２０ａが、ファイル名毎に記憶されている。撮影季節８２２ａは、画像データ８２３が取得（撮影）された季節を示すものである。尚、図８（ｂ）において、撮影季節８２２ａを「春」とし、１年を４つに区切った四季を用いて示しているが、その他に二十四節季等を用いて示してもよい。また、撮影季節８２２ａは、少なくとも撮影された季節を間接的に示すものであればよく、撮影年月日等であってもよい。撮影季節８２２ａとして撮影年月日が記憶される場合、１月〜１２月が四季（春・夏・秋・冬）又は各二十四節季の何れに該当するかを対応付けたテーブルやリスト等が予め記憶部８ａに記憶される。
【００４５】
図９は、キーワードテーブル８６のデータ構成について示した図である。画像情報８２０ａの撮影季節として四季が採用される場合、キーワードテーブル８６には４つの各季節に関連するキーワードが予め記憶されている。例えば「春」に関連するキーワードとして「春」、「桜」、「入学」、「卒業」、「芽」、「花見」、・・・等が記憶されている。そして制御部１によって音楽画像情報管理プログラム８３ａが実行されると、音楽情報８１０ａに含まれる曲名８１２及び／又は歌詞データ８１５から各キーワードが検出され、検出されたキーワードが最も多かった季節がその音楽情報８１０ａの音楽が表す季節として決定される。
【００４６】
図１０は、第２の実施の形態における音楽画像情報管理処理の流れを示すフローチャートである。音楽画像情報管理処理は制御部１が音楽画像情報管理プログラム８３ａに従って動作することにより行われる。音楽情報記憶領域８１に音楽情報８１０ａが記憶されている場合（ステップＳ３１；ＹＥＳ）、制御部１は音楽情報８１０ａと情報管理テーブル８５に記憶されている音楽情報のファイル名を読み出して、画像情報８２０ａの対応付けが行われていない音楽情報８１０ａがあるか否かを判別する（ステップＳ３２）。対応付けが行われていない音楽情報８１０ａがある場合（ステップＳ３２；ＹＥＳ）、制御部１は対応付けが行われていない音楽情報８１０ａの曲名８１２及び／又は歌詞データ８１５を読み出し、曲名８１２及び／又は歌詞データ８１５からキーワードテーブル８６に記憶されている各季節のキーワードを検出して（ステップＳ３３）、検出されたキーワードが最も多かった季節を決定する（ステップＳ３４）。そして、決定された季節と同じ撮影季節を示す画像情報８２０ａを画像情報記憶領域８２から抽出し、抽出した画像情報８２０ａのファイル名を音楽情報８１０ａのファイル名と対応付けて情報管理テーブル８５に記憶する（ステップＳ３５）。その後ステップＳ３２へ処理を移行する。
【００４７】
このようにして音楽情報８１０ａと画像情報８２０ａとが季節に基づいて対応付けて記憶された後、制御部１によって音楽画像再生プログラム８４の実行がなされると、再生された音楽の曲名及び／又は歌詞が表す季節に撮影された画像が表示部４に表示される。即ち、ユーザは煩雑な作業をすることなく、簡単に音楽付きスライドショーを楽しむことができる。
【００４８】
尚、キーワードテーブル８６には各季節に関連するキーワードが予め記憶されていることとしたが、ユーザが各季節のキーワードを追加設定できることとしてもよい。この場合、ユーザによって追加設定されたキーワードが別の季節に関連するキーワードとして既に記憶されている場合、該キーワードの属する季節は、ユーザが該キーワードを入力する際に設定した季節とする。
【００４９】
〔第３の実施の形態〕
第２の実施の形態では、音楽情報８１０ａの曲名８１２及び／又は歌詞データ８１５から音楽情報８１０ａの示す音楽の表す季節を決定して該季節に基づいて画像情報８２０ａを抽出し、音楽情報８１０ａと画像情報８２０ａとを対応付けて記憶する音楽画像再生装置について説明した。第３の実施の形態では、音楽情報の曲名及び／又は歌詞データから音楽情報の音楽の表す時間帯を決定して該時間帯に基づいて画像情報を抽出し、音楽情報と画像情報とを対応付けて記憶する音楽画像再生装置について説明する。尚、以下において、上述した第１及び２の実施の形態と同一要素については同符号を付し、その説明を省略または簡略する。また、本実施の形態における携帯電話１００の機能ブロック図は、第２の実施の形態における機能ブロック図のうち記憶部８ａに記憶されたキーワードテーブル８６を図１２に示すキーワードテーブル８６ｂに置き換えたもの、音楽画像情報管理プログラム８３ａを図１３に示すフローチャートで表される音楽画像情報管理プログラムに置き換えたものである。
【００５０】
図１１は、画像情報記憶領域８２に記憶される画像情報８２０ｂのデータ構成を示した図である。画像情報記憶領域８２には、少なくとも、ファイル名８２１と、撮影時間帯８２２ｂと、画像データ８２３とを記憶する画像情報８２０ｂが、ファイル名毎に記憶されている。撮影時間帯８２２ｂは、画像データ８２３が取得（撮影）された時間帯を示すものである。時間帯とは、例えば１日の時間帯を表す朝、昼、夕方、夜のことを言う。尚、上記以外の時間帯によって撮影時間帯８２２ｂが表されてもよい。また、撮影時間帯８２２ｂは、撮影された時間帯を間接的に示すものであってもよく、例えば撮影時間等であってもよい。撮影時間帯８２２ｂとして撮影時間が記憶される場合、０時〜２３時が各時間帯の何れに該当するかを対応付けたテーブルやリスト等が予め記憶部８ａに記憶される。
【００５１】
図１２は、キーワードテーブル８６ｂのデータ構成について示した図である。画像情報８２０ｂの撮影時間帯として「朝、昼、夕方、夜」が採用される場合、キーワードテーブル８６ｂには４つの各時間帯に関連するキーワードが予め記憶されている。例えば「朝」に関連するキーワードとして「朝」、「朝日」、「昇る」、「モーニングセット」、・・・等が記憶されている。そして制御部１によって音楽画像情報管理プログラム８３ａが実行されると、音楽情報８１０ａに含まれる曲名８１２及び／又は歌詞データ８１５から各キーワードが検出され、検出されたキーワードが最も多かった時間帯がその音楽情報８１０ａの示す音楽が表す時間帯として決定される。
【００５２】
図１３は、第３の実施の形態における音楽画像情報管理処理の流れを示すフローチャートである。音楽画像情報管理処理は制御部１が音楽画像情報管理プログラム８３ａに従って動作することにより行われる。音楽情報記憶領域８１に音楽情報８１０ａが記憶されている場合（ステップＳ４１；ＹＥＳ）、制御部１は音楽情報８１０ａと情報管理テーブル８５の音楽情報のファイル名を読み出して、画像情報８２０ｂの対応付けが行われていない音楽情報８１０ａがあるか否かを判別する（ステップＳ４２）。対応付けが行われていない音楽情報８１０ａがある場合（ステップＳ４２；ＹＥＳ）、制御部１は対応付けが行われていない音楽情報８１０ａの曲名８１２及び／又は歌詞データ８１５を読み出し曲名８１２及び／又は歌詞データ８１５からキーワードテーブル８６に記憶されている各時間帯のキーワードを検出して（ステップＳ４３）、検出されたキーワードが最も多かった時間帯を決定する（ステップＳ４４）。そして、決定された時間帯と同じ撮影時間帯を示す画像情報８２０ｂを画像情報記憶領域８２から抽出し、抽出した画像情報８２０ｂのファイル名を音楽情報８１０ａのファイル名と対応付けて情報管理テーブル８５に記憶する（ステップＳ４５）。その後ステップＳ４２へ処理を移行する。
【００５３】
このようにして音楽情報８１０ａと画像情報８２０ｂとが時間帯に基づいて対応付けて記憶された後、制御部１によって音楽画像再生プログラム８４の実行がなされると、再生された音楽の曲名及び／又は歌詞が表す時間帯に撮影された画像が表示部４に表示される。即ち、ユーザは煩雑な作業をすることなく、簡単に音楽付きスライドショーを楽しむことができる。
【００５４】
尚、キーワードテーブル８６には各時間帯に関連するキーワードが予め記憶されていることとしたが、ユーザが各時間帯のキーワードを追加設定できることとしてもよい。この場合、ユーザによって追加設定されたキーワードが別の時間帯に関連するキーワードとして既に記憶されている場合、該キーワードの示す時間帯は、ユーザが該キーワードを入力する際に設定した時間帯とする。
【００５５】
〔第４の実施の形態〕
第２の実施の形態では、音楽情報８１０ａの曲名８１２及び／又は歌詞データ８１５から音楽情報８１０ａの示す音楽の表す季節を決定して該季節に基づいて画像情報８２０ａを抽出し、音楽情報８１０ａと画像情報８２０ａとを対応付けて記憶する音楽画像再生装置について説明し、第３の実施の形態では、音楽情報の曲名８１２及び／又は歌詞データ８１５から音楽情報８１０ａの音楽の表す時間帯を決定して該時間帯に基づいて画像情報８２０ｂを抽出し、音楽情報８１０ａと画像情報８２０ｂとを対応付けて記憶する音楽画像再生装置について説明した。第４の実施の形態では、音楽情報の曲名及び／又は歌詞データから音楽情報の示す音楽の表す場所を決定して該場所に基づいて画像情報を抽出し、音楽情報と画像情報とを対応付けて記憶する音楽画像再生装置について説明する。尚、以下において、上述した第１〜３の実施の形態と同一要素については同符号を付し、その説明を省略または簡略する。
【００５６】
図１４は、第４の実施の形態における携帯電話１００ｃの内部構成を示すブロック図である。第１の実施の形態における携帯電話１００と異なる点は、記憶部８が記憶部８ｃに置き換わった点と、ＧＰＳ（Global Positioning System）アンテナ９１と、ＧＰＳ回路部９２とを更に備えた点である。
【００５７】
記憶部８ｃには、携帯電話１００ｃを作動させるためのシステムプログラム（不図示）の他に、音楽情報記憶領域８１に記憶される音楽情報と、画像情報記憶領域８２に記憶される画像情報とを対応付けて記憶させるための音楽画像情報管理プログラム８３ｃと、音楽情報に含まれる音楽データに基づいた音楽再生と、該音楽情報に対応付けて記憶された画像情報に含まれる画像データに基づいた画像表示とを行う音楽画像再生プログラム８４、音楽情報と画像情報が対応付けて記憶されている情報管理テーブル８５と、場所リスト８７とが記憶されている。
【００５８】
ＧＰＳアンテナ９１は、複数のＧＰＳ衛星から位置情報を示す信号を受信し、受信信号を電気信号に変換してＧＰＳ回路部９２に出力する。ＧＰＳ回路部９２は制御部１からの指示信号に応じてＧＰＳアンテナ９１から出力された電気信号に基づいて携帯電話１００ｃの現在位置を計算し、計算結果を現在位置情報として制御部１に出力する。撮像部２によって被写体像を撮像した画像データが取得されると、制御部１は画像データとＧＰＳ回路部９２から出力された現在位置情報とを対応付けて画像情報記憶領域８２に記憶する。
【００５９】
図１５は、画像情報記憶領域８２に記憶される画像情報８２０ｃのデータ構成を示した図である。画像情報記憶領域８２には、少なくとも、ファイル名８２１と、位置情報８２２ｃと、画像データ８２３とを記憶する画像情報８２０ｃが、ファイル名毎に記憶されている。位置情報８２２ｃは、画像データ８２３が取得（撮影）された場所の位置情報である。また、位置情報８２２ｃは少なくとも撮影された場所を示すものであればよく、例えば観光地の名称や住所等の撮影場所を示す位置情報を撮影後にユーザが操作部３を用いて入力するようにしてもよい。
【００６０】
図１６は、場所リスト８７のデータ構成について示した図である。画像情報８２０ｃの位置情報８２２ｃとしてＧＰＳ衛星から送信された現在位置情報（経度、緯度）が記憶される場合、場所リスト８７には全国の観光地やランドマーク等の名称（以下「場所キーワード」と表記する）とその位置情報とがリスト形式で記憶される。そして制御部１によって音楽画像情報管理プログラム８３ｃが実行されると、音楽情報８１０ａに含まれる曲名８１２及び／又は歌詞データ８１５から場所リスト８７に記憶されている場所キーワードが検出され、検出された場所キーワードの示す位置が音楽情報８１０ａの示す音楽の表す場所として決定される。
【００６１】
図１７は、第４の実施の形態における音楽画像情報管理処理の流れを示すフローチャートである。音楽画像情報管理処理は制御部１が音楽画像情報管理プログラム８３ｃに従って動作することにより行われる。まず、音楽情報記憶領域８１に音楽情報８１０ａが記憶されている場合（ステップＳ５１；ＹＥＳ）、制御部１は音楽情報８１０ａと情報管理テーブル８５の音楽情報のファイル名を読み出して、画像情報８２０ｃの対応付けが行われていない音楽情報８１０ａがあるか否かを判別する（ステップＳ５２）。対応付けが行われていない音楽情報８１０ａがある場合（ステップＳ５２；ＹＥＳ）、制御部１は対応付けが行われていない音楽情報８１０ａの曲名８１２及び／又は歌詞データ８１５を読み出し、曲名８１２及び／又は歌詞データ８１５から場所リスト８７に記憶されている場所キーワードを検出する（ステップＳ５３）。制御部１は検出された場所キーワードに対応する位置情報を場所リスト８７から読み出して、該位置情報に基づいて画像情報８２０ｃを画像情報記憶領域８２から抽出し、抽出した画像情報８２０ｃのファイル名を音楽情報８１０ａのファイル名と対応付けて情報管理テーブル８５に記憶する（ステップＳ５４）。その後ステップＳ５２へ処理を移行する。
【００６２】
このようにして音楽情報８１０ａと画像情報８２０ｃとが場所に基づいて対応付けて記憶された後、制御部１によって音楽画像再生プログラム８４の実行がなされると、再生された音楽の曲名及び／又は歌詞が表す場所で撮影された画像が表示部４に表示される。即ち、ユーザは煩雑な作業をすることなく、簡単に音楽付きスライドショーを楽しむことができる。
【００６３】
〔第５の実施の形態〕
第５の実施の形態では、ユーザの設定に基づいて音楽情報を検出し、検出された音楽情報が含む歌データに基づいて画像情報を検出して、音楽情報の示す音楽の再生の際に検出された画像情報の示す画像を表示する携帯電話について説明する。尚、以下において、上述した第１〜４の実施の形態と同一要素については同符号を付し、その説明を省略または簡略する。また、本実施の形態における携帯電話の機能ブロック図は、第１の実施の形態において図１を用いて説明した携帯電話１００の機能ブロック図のうち記憶部８を図１８に示す記憶部８ｄに置き換えたものである。
【００６４】
記憶部８ｄには、携帯電話１００を作動させるためのシステムプログラム（不図示）の他に、音楽情報記憶領域８１に記憶される音楽情報と、画像情報記憶領域８２に記憶される画像情報とを対応付けて記憶させるための音楽情報管理プログラム８３ｄと、音楽情報に含まれる音楽データに基づいた音楽再生と、該音楽情報に対応付けて記憶された画像情報に含まれる画像データに基づいた画像表示とを行う音楽画像再生プログラム８４ｄと、キーワードテーブル８６ｄとが記憶されている。
【００６５】
図１９は、音楽情報記憶領域８１に記憶される音楽情報８１０ｄのデータ構成を示した図である。音楽情報記憶領域８１には、少なくとも、ファイル名８１１と、曲名８１２と、発売年８１３と、音楽データ８１４と、歌詞データ８１５と、歌データ８１６とを記憶する音楽情報８１０ｄが、ファイル名毎に記憶されている。図１９（ｂ）は、歌データ８１６のデータ構成を示した図である。制御部１が音楽情報管理プログラム８３ｄを実行することによってキーワードテーブル８６ｄに含まれるキーワードが曲名８１２及び／または歌詞データ８１５から検出され、音楽情報８１０ｄの示す音楽の季節と時間帯が決定されて、決定された季節と時間帯が歌データ８１６に記憶される。
【００６６】
図２０は、画像情報記憶領域８２に記憶される画像情報８２０ｄのデータ構成を示した図である。画像情報記憶領域８２には、少なくとも、ファイル名８２１と、撮影年８２２と、撮影季節８２２ａと、撮影時間帯８２２ｂと、画像データ８２３とを記憶する画像情報８２０ｄが、ファイル名毎に記憶されている。
【００６７】
図２１は、キーワードテーブル８６ｄのデータ構成を示した図である。キーワードテーブル８６ｄは、図９に示すキーワードテーブル８６と図１２に示すキーワードテーブル８６ａとを含んだデータ構成となっている。即ち、画像情報８２０ｄの撮影季節として四季が採用された場合、４つの各季節に関連するキーワードがキーワードテーブル８６ｄに予め記憶され、撮影時間帯として「朝、昼、夕方、夜」の４つの時間帯が採用された場合、４つの各時間帯に関連するキーワードが予め記憶される。尚、各キーワードはユーザが追加して設定可能なようにしてもよい。
【００６８】
図２２は、第５の実施の形態における音楽情報管理処理の流れを示すフローチャートである。音楽情報管理処理は制御部１が音楽情報管理プログラム８３ｄに従って動作することにより行われる。まず、音楽情報記憶領域８１に音楽情報８１０ｄが記憶されている場合（ステップＳ６１；ＹＥＳ）、制御部１は音楽情報８１０ｄから歌データ８１６の設定が行われていない音楽情報８１０ｄがあるか否かを判別する（ステップＳ５２）。歌データ８１６の設定が行われていない音楽情報８１０ｄがある場合（ステップＳ５２；ＹＥＳ）、制御部１は設定が行われていない音楽情報８１０ｄの曲名８１２及び／又は歌詞データ８１５を読み出し、曲名８１２及び／又は歌詞データ８１５からキーワードテーブル８６ｄに記憶されている各季節のキーワードを検出する（ステップＳ６３）。そして、制御部１は検出されたキーワードが最も多かった季節を決定し、その季節を歌データ８１６に記憶する（ステップＳ６４）。次に、キーワードテーブル８６に記憶されている各時間帯のキーワードのうち曲名８１２及び／又は歌詞データ８１５に含まれているキーワードを検出する（ステップＳ６５）。そして、検出されたキーワードが最も多かった時間帯を決定し、決定した季節を歌データ８１６に記憶する（ステップＳ６６）。その後ステップＳ６２へ処理を移行する。
【００６９】
図２３は、第５の実施の形態における音楽画像再生処理の流れを示すフローチャートである。音楽画像再生処理は制御部１が音楽画像再生プログラム８４ｄに従って動作することにより行われる。まず、制御部１は、ユーザによって年、季節、時間帯の設定が行われたか否かを判別する（ステップＳ７１）。
【００７０】
図２５に示す表示部４の表示例を用いて、設定方法の一例を説明する。制御部１によって音楽画像再生プログラム８４ｄが読み出されて音楽画像再生処理が動作されると、再生したい音楽の各条件をユーザが設定するための画面表示が表示部４に表示される。まず、図２５（ａ）に示すように「希望する年を入力してください」というメッセージが表示され、再生したい音楽の発売された年をユーザが入力するための画面が表示部４に表示される。ユーザは再生したい音楽の発売された年を入力欄４１に入力する。
【００７１】
次に、図２５（ｂ）に示すように「希望する季節を入力してください」というメッセージが表示され、再生したい音楽の表す季節をユーザが選択するための画面が表示部４に表示される。ユーザは希望する季節に対応するラジオボタン４２を選択する。
【００７２】
次に、図２５（ｃ）に示すように「希望する時間帯を入力してください」というメッセージが表示され、再生したい音楽の表す時間帯をユーザが選択するための画面が表示部４に表示される。ユーザは希望する時間帯に対応するラジオボタン４３を選択する。
【００７３】
次に、図２５（ｄ）に示すように、ユーザが選択した設定条件に対する最終確認を行うための画面が表示される。ユーザは表示された設定条件で良い場合はボタン４５を選択し、設定条件を入力しなおす場合はボタン４４を選択する。以上のようにして、再生したい音楽の発売年、季節、時間帯がユーザによって設定される。尚、発売年、季節、時間帯の全ての項目について条件設定がされなくてもよく、少なくとも１つの項目について条件設定がなされればよい。
【００７４】
図２３に戻る。ユーザによって設定条件が入力し終わると（ステップＳ７１；ＹＥＳ）、制御部１は設定条件と合致する音楽情報８１０ｄを音楽情報記憶領域８１から抽出する（ステップＳ７２）。具体的には、制御部１は音楽情報８１０ｄに記憶されている発売年８１３と歌データ８１６の記憶内容とステップＳ７１においてユーザが設定した設定条件とを比較することによって、該当する音楽情報８１０ｄを抽出する。設定条件に合致した音楽情報８１０ｄがない場合（ステップＳ７３；ＮＯ）、制御部１はエラーメッセージ等を表示部４に表示させて（ステップＳ７６）、処理を終了する。
【００７５】
設定条件に合致した音楽情報８１０ｄがある場合（ステップＳ７３；ＹＥＳ）、制御部１は抽出された音楽情報８１０ｄ毎に、設定条件と合致する画像情報８２０ｄを画像情報記憶領域８２から抽出する（ステップＳ７４）。具体的には、制御部１は画像情報８２０ｄに記憶されている撮影年８２２と、撮影季節８２２ａと、撮影時間帯８２２ｂとを設定条件と比較することによって、該当する画像情報８２０ｄを抽出する。設定条件に合致した画像情報８２０ｄがない場合（ステップＳ７５；ＮＯ）、制御部１はエラーメッセージ等を表示部４に表示させて（ステップＳ７６）、処理を終了する。
【００７６】
そして、制御部１は抽出された音楽情報８１０ｄを読み出して音楽データ８１４を音楽再生制御部５に出力する。音楽再生制御部５は出力された音楽データ８１４に基づいて音声信号を生成し、スピーカ６に出力する。これにより音楽が再生される（ステップＳ７７）。音楽の再生がなされると、制御部１は抽出された画像情報８２０ｄを読み出して画像データ８２３を表示部４に出力する。表示部４は出力された画像データ８２３に基づいて画像を表示する（ステップＳ７８）。画像表示は音楽の再生が行われている間、繰り返し行われる。
【００７７】
音楽再生の終了後（ステップＳ７９；ＹＥＳ）、ステップ７２において抽出された音楽情報８１０ｄのうち、再生されていない音楽情報８１０ｄがある場合は（ステップＳ８０；ＮＯ）、制御部１はステップＳ７７へ処理を以降する。ステップＳ７２において抽出された音楽情報８１０ｄの示す音楽が全て再生された場合（ステップＳ８０；ＹＥＳ）、制御部１は処理を終了する。
【００７８】
このようにして音楽情報８１０ｄの示す音楽が表す季節、時間帯をキーワードテーブル８６ｄに基づいて決定した後、ユーザが設定した条件に基づいて音楽情報８１０ｄと画像情報８２０ｄを抽出し、抽出された音楽情報８１０ｄの示す音楽を再生しながら、画像情報８２０ｄの示す画像を表示することにより、ユーザは煩雑な作業をすることなく、簡単に音楽付きスライドショーを楽しむことができる。
【００７９】
尚、本実施の形態において、ユーザが発売年、季節、時間帯を設定し、各設定条件に合致した音楽情報８１０ｄ及び画像情報８２０ｄを抽出して音楽再生と画像再生が行われることとしたが、ユーザが設定可能な項目はこれに限らず、その他に場所等が設定可能なようにしてもよい。
【図面の簡単な説明】
【００８０】
【図１】携帯電話の概観図
【図２】第１の実施の形態における携帯電話の機能を示すブロック図
【図３】第１の実施の形態における音楽情報及び画像情報のデータ構成を示した図
【図４】第１の実施の形態における情報管理テーブルのデータ構成を示した図
【図５】第１の実施の形態における音楽画像情報管理処理の流れを示したフローチャート
【図６】第１の実施の形態における音楽画像再生処理の流れを示したフローチャート
【図７】第２の実施の形態における記憶部のデータ構成を示した図
【図８】第２の実施の形態における音楽情報及び画像情報のデータ構成を示した図
【図９】第２の実施の形態におけるキーワードテーブルのデータ構成を示した図
【図１０】第２の実施の形態における音楽画像情報管理処理の流れを示したフローチャート
【図１１】第３の実施の形態における画像情報のデータ構成を示した図
【図１２】第３の実施の形態におけるキーワードテーブルのデータ構成を示した図
【図１３】第３の実施の形態における音楽画像情報管理処理の流れを示したフローチャート
【図１４】第４の実施の形態における携帯電話の機能を示すブロック図
【図１５】第４の実施の形態における画像情報のデータ構成を示した図
【図１６】第４の実施の形態における場所リストのデータ構成を示した図
【図１７】第４の実施の形態における音楽画像情報管理処理の流れを示したフローチャート
【図１８】第５の実施の形態における記憶部のデータ構成を示した図
【図１９】第５の実施の形態における音楽情報のデータ構成を示した図
【図２０】第５の実施の形態における画像情報のデータ構成を示した図
【図２１】第５の実施の形態におけるキーワードテーブルのデータ構成を示した図
【図２２】第５の実施の形態における音楽情報管理処理の流れを示したフローチャート
【図２３】第５の実施の形態における音楽画像再生処理の流れを示したフローチャート
【図２４】図２３に続く、フローチャート
【図２５】第５の実施の形態における表示部４の表示例
【符号の説明】
【００８１】
１００    携帯電話
１        制御部
２        撮像部
３        操作部
４        表示部
５        音楽再生制御部
６        スピーカ
７        記憶媒体読取部
８        記憶部
９１      ＧＰＳアンテナ
９２      ＧＰＳ回路部
【図１】
2007174503.tif 000003
【図２】
2007174503.tif 000004
【図３】
2007174503.tif 000005
【図４】
2007174503.tif 000006
【図５】
2007174503.tif 000007
【図６】
2007174503.tif 000008
【図７】
2007174503.tif 000009
【図８】
2007174503.tif 000010
【図９】
2007174503.tif 000011
【図１０】
2007174503.tif 000012
【図１１】
2007174503.tif 000013
【図１２】
2007174503.tif 000014
【図１３】
2007174503.tif 000015
【図１４】
2007174503.tif 000016
【図１５】
2007174503.tif 000017
【図１６】
2007174503.tif 000018
【図１７】
2007174503.tif 000019
【図１８】
2007174503.tif 000020
【図１９】
2007174503.tif 000021
【図２０】
2007174503.tif 000022
【図２１】
2007174503.tif 000023
【図２２】
2007174503.tif 000024
【図２３】
2007174503.tif 000025
【図２４】
2007174503.tif 000026
【図２５】
2007174503.tif 000027